(57)【要約】【課題】多値復元の精度を向上させることのできる画像処理装置を提供する。【解決手段】オブジェクトの属性毎に、各オブジェクトを識別する識別情報を付与された画素としての画像情報に基づいてオブジェクトを識別する識別手段と、二値化された画像情報について、注目画素を中心としたＭ×Ｎ（ＭおよびＮは整数）マトリックスの平均化フィルタにより多値復元処理を実行する多値復元手段とを備え、多値復元手段は、注目画素を中心としたＭ×Ｎマトリックスの平均化フィルタによって多値復元する際に、識別手段で識別されるＭ×Ｎマトリックス内における注目画素に対応するオブジェクトの属性に応じて、Ｍ×Ｎマトリックス内で当該オブジェクトと同じ属性の画素のみを参照して多値復元処理を実行する。【選択図】図３
2012257065.tif 000002
【特許請求の範囲】
【請求項１】
オブジェクトの属性毎に、各オブジェクトを識別する識別情報を付与された画素としての画像情報に基づいてオブジェクトを識別する識別手段と、
二値化された画像情報について、注目画素を中心としたＭ×Ｎ（ＭおよびＮは整数）マトリックスの平均化フィルタにより多値復元処理を実行する多値復元手段と、
を備え、
前記多値復元手段は、注目画素を中心とした前記Ｍ×Ｎマトリックスの平均化フィルタによって多値復元する際に、前記識別手段で識別される前記Ｍ×Ｎマトリックス内における注目画素に対応するオブジェクトの属性に応じて、前記Ｍ×Ｎマトリックス内で当該オブジェクトと同じ属性の画素のみを参照して多値復元処理を実行することを特徴とする画像処理装置。
【請求項２】
前記多値復元手段は、
二値化された画像情報を入力する入力手段と、
該入力手段から入力された前記二値化された画像情報について、注目画素を中心としたＭ×Ｎ（ＭおよびＮは整数）にブロック化したマトリックスを生成する生成手段と、
前記平均化フィルタにより多値復元に関する演算処理を行う演算手段と、
を備え、
前記識別手段は、
前記識別情報に基づいて、前記生成手段で生成したＭ×Ｎのマトリックス内における注目画素と同じ属性を有する画素の抽出を行う抽出手段を備え、
前記演算手段は、
前記抽出手段で抽出された画素に基づく平均化フィルタ処理を実行して、多値復元画像を出力することを特徴とする請求項１に記載の画像処理装置。
【請求項３】
前記入力手段で入力された前記二値化された画像情報を圧縮して格納する格納手段をさらに備えることを特徴とする請求項２に記載の画像処理装置。
【請求項４】
オブジェクトの属性毎に、各オブジェクトを識別する識別情報を付与された画素としての画像情報に基づいてオブジェクトを識別する識別過程と、
二値化された画像情報について、注目画素を中心としたＭ×Ｎ（ＭおよびＮは整数）マトリックスの平均化フィルタにより多値復元する多値復元過程と、
を有し、
前記多値復元過程は、注目画素を中心とした前記Ｍ×Ｎマトリックスの平均化フィルタによって多値復元する際に、前記識別過程で識別される前記Ｍ×Ｎマトリックス内における注目画素に対応するオブジェクトの属性に応じて、前記Ｍ×Ｎマトリックス内で当該オブジェクトと同じ属性の画素のみを参照して多値復元処理を演算手段に実行させることを特徴とする画像処理プログラム。
【発明の詳細な説明】
【技術分野】
【０００１】
本発明は、画像形成装置および処理プログラムに関するものである。
【背景技術】
【０００２】
従来より、ファクシミリ信号のような二値画像を多値化して高画質描画を実現する目的、あるいはメモリ容量の削減を目的に多値データを二値化して圧縮、記憶し、印刷出力時に多値復元するような多値化手法が提案されている。
【０００３】
例えば、特開平９−５１４３１号公報には、文字、線画領域とそれ以外の領域を判別し、文字、線画領域は単純多値化し、それ以外はアベレージフィルタ（平均化フィルタ）による多値化を実施することにより、文字、線画領域の多値復元時のエッジの不鮮明さを改善する技術が開示されている。
【０００４】
また、文字、線画領域以外の多値復元において、アベレージフィルタの対象画素から文字、線画領域画素を除いた画像データを対象として、フィルタリングして多値復元することで、エッジ近傍の不鮮明さをさらに改善する技術も開示されている。
【先行技術文献】
【特許文献】
【０００５】
【特許文献１】特開平９−５１４３１号公報
【発明の概要】
【発明が解決しようとする課題】
【０００６】
本発明は、多値復元の精度を向上させることのできる画像処理装置および処理プログラムを提供することを目的とする。
【課題を解決するための手段】
【０００７】
前記課題を解決するため、請求項１の発明に係る画像処理装置は、オブジェクトの属性毎に、各オブジェクトを識別する識別情報を付与された画素としての画像情報に基づいてオブジェクトを識別する識別手段と、二値化された画像情報について、注目画素を中心としたＭ×Ｎ（ＭおよびＮは整数）マトリックスの平均化フィルタにより多値復元処理を実行する多値復元手段とを備え、前記多値復元手段は、注目画素を中心とした前記Ｍ×Ｎマトリックスの平均化フィルタによって多値復元する際に、前記識別手段で識別される前記Ｍ×Ｎマトリックス内における注目画素に対応するオブジェクトの属性に応じて、前記Ｍ×Ｎマトリックス内で当該オブジェクトと同じ属性の画素のみを参照して多値復元処理を実行することを特徴とする。
【０００８】
請求項２の発明に係る画像処理装置は、請求項１に記載の発明について、前記多値復元手段は、二値化された画像情報を入力する入力手段と、該入力手段から入力された前記二値化された画像情報について、注目画素を中心としたＭ×Ｎ（ＭおよびＮは整数）にブロック化したマトリックスを生成する生成手段と、前記平均化フィルタにより多値復元に関する演算処理を行う演算手段とを備え、前記識別手段は、前記識別情報に基づいて、前記生成手段で生成したＭ×Ｎのマトリックス内における注目画素と同じ属性を有する画素の抽出を行う抽出手段を備え、前記演算手段は、前記抽出手段で抽出された画素に基づく平均化フィルタ処理を実行して、多値復元画像を出力することを特徴とする。
【０００９】
請求項３の発明に係る画像処理装置は、請求項２に記載の発明について、前記入力手段で入力された前記二値化された画像情報を圧縮して格納する格納手段をさらに備えることを特徴とする。
【００１０】
請求項４の発明に係る画像処理プログラムは、オブジェクトの属性毎に、各オブジェクトを識別する識別情報を付与された画素としての画像情報に基づいてオブジェクトを識別する識別過程と、二値化された画像情報について、注目画素を中心としたＭ×Ｎ（ＭおよびＮは整数）マトリックスの平均化フィルタにより多値復元する多値復元過程とを有し、前記多値復元過程は、注目画素を中心とした前記Ｍ×Ｎマトリックスの平均化フィルタによって多値復元する際に、前記識別過程で識別される前記Ｍ×Ｎマトリックス内における注目画素に対応するオブジェクトの属性に応じて、前記Ｍ×Ｎマトリックス内で当該オブジェクトと同じ属性の画素のみを参照して多値復元処理を演算手段に実行させることを特徴とする。
【発明の効果】
【００１１】
本発明によれば以下の効果を奏することができる。
【００１２】
すなわち、請求項１に記載の発明によれば、本構成を有していない場合に比較して、種々の属性（例えば、テキスト、グラフィック、イメージなどの属性）のオブジェクトについて多値復元の精度を向上させる画像処理装置を提供することができる。
【００１３】
請求項２に記載の発明によれば、本構成を有していない場合に比較して、種々の属性のオブジェクトについて高精度の多値復元処理を実現できる画像処理装置を提供することができる。
【００１４】
請求項３に記載の発明によれば、本構成を有していない場合に比較して、種々の属性のオブジェクトについて高精度の多値復元処理を具体的に実現できる画像処理装置を提供することができる。
【００１５】
請求項４に記載の発明によれば、本構成を有していない場合に比較して、メモリ容量を低減できる画像処理装置を提供することができる。
【００１６】
請求項５に記載の発明によれば、本構成を有していない場合に比較して、種々の属性のオブジェクトについて多値復元の精度を向上させる画像処理プログラムを提供することができる。
【図面の簡単な説明】
【００１７】
【図１】実施の形態に係る画像処理装置の機能構成を示す機能ブロック図である。
【図２】属性とオブジェクトタグの対応例を示す表である。
【図３】実施の形態に係る画像処理装置における画像処理の概要を示すブロック図である。
【図４】実施の形態に係る画像処理装置における多値復元処理の概要を示すブロック図である。
【図５】比較対象としての多値復元の具体例を示す説明図である。
【図６】比較対象としての多値復元の他の具体例を示す説明図である。
【図７】比較対象としての多値復元の他の具体例を示す説明図である。
【図８】実施の形態に係る画像処理装置による多値復元の具体例を示す説明図である。
【発明を実施するための形態】
【００１８】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１から図８を参照して、本発明についての実施の形態に係るプリンタとしての画像処理装置ＰＲ１（以下、プリンタＰＲ１と記す）について説明する。
【００２０】
まず、図１の機能ブロックを参照して、本実施の形態に係るプリンタＰＲ１の機能構成例について説明する。
【００２１】
プリンタＰＲ１は、プリンタ記述言語（ＰＤＬ）を解釈してラスター画像データを生成するとともに、前記生成された文字（テキストデータ、フォントデータ等）、写真（ビットマップデータ）、グラフィック（ベクターデータ）などのオブジェクトの属性（例えば、前記文字、写真、グラフィックなどの属性）毎に、各オブジェクトを識別するオブジェクトタグ（識別情報の一例）を画素毎に付与するＰＤＬ処理部３５１と、前記ラスターデータに各種画像処理を施し、二値データ（二値化された画像情報）を生成する第１の画像処理部３５２と、２値化された画像情報について、注目画素を中心としたＭ×Ｎ（ＭおよびＮは整数）マトリックスの平均化フィルタ（アベレージフィルタ）により多値復元処理を実行する多値復元処理部３００（多値復元手段の一例）と、前記多値復元処理部３００内で前記ＰＤＬ処理部３５１にて付与されたオブジェクトタグにより画素毎にオブジェクトを識別するオブジェクトタグ識別部１００（識別手段の一例）と、再スクリーン処理を行う第２の画像処理部３６１および印刷用紙等に画像を形成する画像形成部４００とを備える。
【００２２】
なお、ＰＤＬデータの生成および送信は、例えばプリンタＰＲ１にＬＡＮ等のネットワークＮを介して接続されるパーソナルコンピュータやホストコンピュータ等の情報処理装置（外部装置）ＰＣ１で行われる。
【００２３】
ここで、オブジェクトタグとは、画像データに対して１画素毎に付与されるオブジェクトの属性（種類）を示すデータである。
【００２４】
特には限定されないが、例えば図２に示すように、文字データにはオブジェクトタグ「００」を、写真データにはオブジェクトタグ「０１」を、グラフィックデータにはオブジェクトタグ「１０」を付与するようにしてもよい。
【００２５】
また、一般的にデジタル化された画像は、１画素の輝度を８ビット（０〜２５５）の階調で表現されるが、この様な画像データは多値画像データと呼称されている。
【００２６】
一方、１画素の輝度が１ビット（０または１）の階調で表現した画像データを二値画像データと呼称している。
【００２７】
そして、本発明では、多値画像データを二値画像データに変換する処理を二値化と呼び、二値画像データを多値画像データに復元する処理を多値復元処理又は多値化と呼んでいる。
【００２８】
さらに、平均化フィルタ（アベレージフィルタ）とは、空間フィルタリング処理の一種であり、対象となる画素である注目画素およびこの注目画素の周囲に存在する周囲画素のデジタル画像データを平均化するものである。
【００２９】
ここで、前記多値復元処理部３００は、注目画素を中心としたＭ×Ｎマトリックスの平均化フィルタによって多値復元する際に、オブジェクトタグ識別部１００で識別されるＭ×Ｎマトリックス内における注目画素に対応するオブジェクトの属性に応じて、Ｍ×Ｎマトリックス内で当該オブジェクトと同じ属性の画素のみを参照して多値復元処理を実行するようになっている。
【００３０】
また、本実施の形態に係るプリンタＰＲ１において、多値復元処理部３００は、二値化された画像情報を入力する二値データ入力部３０１（入力手段の一例）と、二値データ入力部３０１から入力された前記二値化された画像情報について、注目画素を中心としたＭ×Ｎ（ＭおよびＮは整数）にブロック化したマトリックスを生成するブロック化部３０２（生成手段の一例）と、平均化フィルタにより多値復元に関する演算処理を行うＣＰＵ等で構成される演算部３０３（演算手段の一例）とを備えている。
【００３１】
さらに、本実施の形態においては、第一の画像処理部３５２で生成される前記二値化された画像情報を格納する不揮発性メモリ等の画像メモリで構成されるデータ格納部３０４（格納手段の一例）を備えている。
【００３２】
なお、第１の画像処理部３５２とデータ格納部３０４との間にデータを圧縮する圧縮処理部を設けるようにしてもよい。
【００３３】
また、二値データ入力部３０１でデータの伸長処理を行うようにしてもよい。
【００３４】
また、オブジェクトタグ識別部１００は、オブジェクトタグに基づいて、ブロック化部３０２で生成したＭ×Ｎのマトリックス内における注目画素と同じ属性を有する画素の抽出を行う参照画素抽出部１０１（抽出手段の一例）を備えている。
【００３５】
そして、演算部３０３は、参照画素抽出部１０１で抽出された画素に基づく平均化フィルタ処理を実行して、多値復元画像を出力するようになっている。
【００３６】
より具体的には、演算部３０３は、次式
【００３７】
注目画素の多値復元値＝２５５×（Ｙ／Ｘ）
【００３８】
ここで、Ｘは、Ｍ×Ｎ（ＭおよびＮは整数）の参照画素内における注目画素と同じ属性を有する画素の総数
【００３９】
Ｙは、前記Ｍ×Ｎ（ＭおよびＮは整数）の参照画素内における注目画素と同じ属性を有する画素内の黒画素の数（単純に言えば前記X内での黒画素数）
【００４０】
によって、多値復元画像の出力値を得るようにしている。
【００４１】
これにより、グレー色文字や色文字など中間調表現されるテキスト領域においても、テキスト領域部分のみの画像データで多値復元されるので、多値復元精度が向上される。
【００４２】
なお、具体的な例については後述する。
【００４３】
次に、図３のブロック図を参照して、プリンタＰＲ１の画像処理の概要について説明する。
【００４４】
図３に示すように、ＰＤＬ処理部３５１でプリンタ記述言語（ＰＤＬ）を解釈してラスター画像データを生成し、第１の画像処理部３５２で前記ラスターデータに各種画像処理を施し、二値データ（二値化された画像情報）を生成し、当該二値画像データとオブジェクトタグを画像メモリ３０４に送る。
【００４５】
画像メモリ３０４では、二値画像データとオブジェクトタグを一時的に格納する。なお、二値画像データを圧縮して格納するようにしてもよい。
【００４６】
次いで、画像メモリ３０４に格納されている二値画像データとオブジェクトタグは、多値復元処理部３００に送られる。
【００４７】
多値復元処理部３００では、二値画像データとオブジェクトタグに基づいて多値画像データを復元して第２の画像処理部３６１にそれらのデータを送る。
【００４８】
第２の画像処理部３６１では、再スクリーン処理が行われる。ここで、スクリーン処理とは、網点と呼ばれる着色ドットの大きさによって擬似的に中間調画像の濃度を表わすことで、濃度階調を有する多値画像データを二値画像データに変換する処理である。
【００４９】
次いで、スクリーン処理後の１ｂｉｔ、２ｂｉｔあるいは４ｂｉｔ等の印刷データは画像形成部４００に送られて画像形成処理が実行され、印刷用紙等に画像形成が行われる。
【００５０】
次に、図４のブロック図は、多値復元処理の流れの概要を示す。
【００５１】
二値データからなる注目画素が二値データ入力部３０１に入力され、ブロック化部３０２でＭ×Ｎにブロック化したマトリックスが生成される。
【００５２】
次いで、オブジェクトタグ識別部１００で注目画素のオブジェクトタグに基づいてオブジェクトが識別される。
【００５３】
そして、注目画素のオブジェクトタグに基づくオブジェクト情報と、Ｍ×Ｎマトリックス内の注目画素以外のオブジェクト情報に基づいて、オブジェクトタグ識別部１００の参照画素抽出部１０１は、参照画素の抽出を行う。
【００５４】
続いて、抽出された参照画素に関するデータは演算部（平均化フィルタ）３０３に送られて平均化フィルタ処理が実行される。
【００５５】
具体的には、注目画素の多値復元値＝２５５×（Ｙ／Ｘ）の演算が行われる。なお、Ｘは、Ｍ×Ｎ（ＭおよびＮは整数）の参照画素内における注目画素と同じ属性を有する画素の総数、Ｙは、前記Ｍ×Ｎ（ＭおよびＮは整数）の参照画素内における注目画素と同じ属性を有する画素内の黒画素の数（単純に言えば前記X内での黒画素数）である。
【００５６】
これにより、注目画素の多値画像データが生成される。
【００５７】
次に、図５から図８を参照して、本発明の比較対象としての処理例および本実施の形態に係るプリンタＰＲ１による処理例について説明する。
【００５８】
まず、図５から図７を参照して、本発明の比較対象としての処理例について述べる。
【００５９】
図５は、白色の背景において、黒一色による２５５階調の文字「Ａ」を形成した場合において、全面マトリックス平均化処理を行った場合の例である。
【００６０】
この場合において、文字「Ａ」のある領域（８×８）５０３について、多値元画像５０３ａにスクリーン処理を実行して二値化画像５０３ｂを生成する。そして、この二値化画像５０３ｂに対して全面アベレージフィルタによる多値復元処理を実施すると、文字、線画と背景との境界が不鮮明になってしまう（いわゆるボケてしまう）という不都合があった。
【００６１】
この場合の「ボケ」は、例えば黒文字エッジ近傍においては、３×３マトリックスの中で、黒文字部（２５５）と白背景部（０）が平均化されるので、注目画素はグレー（例えば１２８）画像となり、結果的にエッジ周辺部がボケてしまう状態を意味する。
【００６２】
図６は、白色の背景において、黒一色による２５５階調の文字「Ａ」を形成した場合において、本件の先行技術文献に係る特開平９−５１４３１号公報に開示の技術を適用した場合の例である。
【００６３】
この場合において、文字「Ａ」のある領域（８×８）５０４について、ある注目画素６００ａを中心とした例えば３×３のマトリックスの中で、文字、線画領域を除いた画素（図上、ハッチを入れた領域）６００ｂのみを参照するようにしている。
【００６４】
即ち、特開平９−５１４３１号公報に開示の技術では、特定領域（例えば、文字・線画領域）を検出し、特定領域は単純多値化し、特定領域以外については、Ｍ×Ｎ（図６に示す例では３×３）マトリックスの中で特定領域を除く画素にて平均化フィルタ（アベレージフィルタ）等を用いた画素平均による多値化処理を実施することで、エッジの不鮮明さの発生を回避している。
【００６５】
しかしながら、図７に示すような中間調の背景における中間調文字の場合には、次に述べるような難点があることが分かった。
【００６６】
即ち、図７に示すように、グレー文字や色文字などのスクリーン構造を有する文字、線画５０５においては、属性を判別して文字・線画の別が判断されたとしても、この部分を単純に多値化処理する（５０５ｂ→５０５ｃ）と、スクリーン構造を有したまま多値化されてしまい、元の中間値に復元されないという不都合がある。
【００６７】
例えば、図７において、多値復元されたある画素７００ａに注目した場合に、元の画像における同じ位置の画素６５０ａとは全く異なる値となっていることが分かる。
【００６８】
次に、図８を参照して、本実施の形態に係るプリンタＰＲ１による処理例について説明する。
【００６９】
図８に示すように、グレー色の背景にグレー色のスクリーン構造を有する文字「Ａ」を形成する場合において、文字「Ａ」のある領域（８×８）７００について本実施の形態に係るプリンタＰＲ１によって多値化処理を実行する。
【００７０】
具体的には、多値元画像７００ａに対して二値データ生成部２００でスクリーン処理を実行して二値化画像７００ｂを生成してデータ格納部３０４に圧縮して格納する。
【００７１】
次いで、多値復元する場合には、データ格納部３０４から二値化画像７００ｂを読み出して多値復元処理部３００のブロック化部３０２および演算部３０３による多値化処理が実行される。
【００７２】
即ち、図８において、ある画素を注目画素７５０とした場合に、この注目画素７５０を中心とした３×３（即ち、Ｍ×Ｎにおいて、Ｍ＝３、Ｎ＝３とする）にブロック化したマトリックスを生成する。
【００７３】
次いで、生成した３×３のマトリックス内における注目画素と同じ属性を有する画素の抽出を行う。
【００７４】
図８における注目画素と同じ属性を有する画素の抽出結果は８００ａのように表される。
【００７５】
そして、演算部３０３では、注目画素の多値復元値＝２５５×（Ｙ／Ｘ）（ここで、Ｘは、Ｍ×Ｎ（ＭおよびＮは整数）の参照画素内における注目画素と同じ属性を有する画素の総数、Ｙは、前記Ｍ×Ｎ（ＭおよびＮは整数）の参照画素内における注目画素と同じ属性を有する画素内の黒画素の数の演算によって多値復元画像の出力値を得る。
【００７６】
具体的には、３×３のマトリックス８００ａ内において、３×３のマトリックス８００ａ内の注目画素７５０と同じ属性（この例ではグラフィックＧ）を有する画素の総数は５ピクセル（ｐｉｘ）であるから前記Ｘ値は「５」となり、３×３のマトリックス８００ａ内における黒画素数は２つであるから前記Ｙ値は「２」となる。
【００７７】
従って、注目画素７５０の多値復元値＝２５５×（２／５）＝１０２となる。
【００７８】
図８に示すように、多値元画像において注目画素７５０に対応する箇所の値は「１００」であり、注目画素７５０の値「１０２」と比較的近い値に復元されていることが分かる。
【００７９】
以上のような多値復元処理を二値化画像の復元したい領域の各画素について行うことにより、従来に比して多値復元の精度が向上される。
【００８０】
なお、本実施の形態においては、黒画素値を２５５と定義した場合の例を挙げているが、黒画素値を０と定義（あるいは、白画素値を２５５と定義）してもよい。
【００８１】
また、８ｂｉｔ画像のみを対象にする場合に限られず、１ｂｉｔ（２値）画像のみを対象にしたり、２ｂｉｔ画像や４ｂｉｔ画像を対象にしてもよい。
【００８２】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８３】
また、プログラムを用いる場合には、ネットワークを介して提供し、或いはＣＤ−ＲＯＭ等の記録媒体に格納して提供することが可能である。
【００８４】
即ち、画像処理プログラムを含む所定のプログラムを記録媒体としてのハードディスク等の記憶装置に記録する場合に限らず、当該所定のプログラムを次のようにして提供することも可能である。
【００８５】
例えば、所定のプログラムをＲＯＭに格納しておき、ＣＰＵが、この所定のプログラムをこのＲＯＭから主記憶装置へローディングして実行するようにしてもよい。
【００８６】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００８７】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００８８】
本発明による画像形成装置および処理プログラムは、プリンタや複合機等に適用することができる。
【符号の説明】
【００８９】
ＰＲ１  画像処理装置
ＰＣ１  情報処理装置
１００  オブジェクトタグ識別部
１０１  参照画素抽出部
２００  二値データ生成部
３００  多値復元処理部
３０１  二値データ入力部
３０２  ブロック化部
３０３  演算部
３０４  データ格納部
４００  画像形成部
５０２  特定領域
５０３ａ  多値元画像
５０３ｂ  二値化画像
５０５  線画
６００ａ  注目画素
７００ａ  多値元画像
７００ｂ  二値化画像
７５０  注目画素
【図１】
2012257065.tif 000003
【図２】
2012257065.tif 000004
【図３】
2012257065.tif 000005
【図４】
2012257065.tif 000006
【図５】
2012257065.tif 000007
【図６】
2012257065.tif 000008
【図７】
2012257065.tif 000009
【図８】
2012257065.tif 000010